(57)【要約】【課題】ダストハウジング内に残ったままの粉塵が電動送風機側に導入されることを防止できるクリーナを提供する。【解決手段】吸引風を発生させる電動送風機１０が収容された本体ハウジング２の前方に、粉塵を含む吸引風の吸引口２０が形成されたダストハウジング３を装着させ、本体ハウジングにおける電動送風機の上流側に粉塵を捕捉する筒状のフィルタ２２を設け、粉塵を含む吸引風をフィルタの内側に導入し、粉塵をフィルタの内面に捕捉した後に吸引風をフィルタの外側へ流通させ電動送風機側に導入するクリーナ１であって、ダストハウジングを本体ハウジングに装着した装着状態において、ダストハウジングに、フィルタの内面に向けて突出しかつ外周面が内面に当接するリング状の塵落とし部材２５を設け、本体ハウジングに、前記装着状態でフィルタの外面を外側から空間をおいて覆うカバー部材２３を設けた。【選択図】図３
2014018423.tif 000002
【特許請求の範囲】
【請求項１】
吸引風を発生させる電動送風機が収容された本体ハウジングの前方に、粉塵を含んだ前記吸引風の吸引口が形成されたダストハウジングを装着させて、前記本体ハウジングにおける前記電動送風機の上流側に前記粉塵を捕捉する筒状のフィルタを設け、前記粉塵を含んだ吸引風を前記フィルタの内側に導入して、前記粉塵を前記フィルタの内面に捕捉した後に前記吸引風を前記フィルタの外側へ流通させて前記電動送風機側に導入するクリーナであって、
前記ダストハウジングを前記本体ハウジングに装着した装着状態において、前記ダストハウジングに、前記フィルタの内面に向けて突出しかつ外周面が前記内面に当接するリング状の塵落とし部材を設け、
前記本体ハウジングに、前記装着状態で前記フィルタの外面を外側から空間をおいて覆うカバー部材を設けて、
前記本体ハウジングに対する前記ダストハウジングの前方への取り外し動作に伴い、前記塵落とし部材が前記フィルタの内面に摺接することで前記捕捉された粉塵を前記内面から除去することを特徴とするクリーナ。
【発明の詳細な説明】
【技術分野】
【０００１】
この発明は、粉塵を捕捉するフィルタを設けたクリーナに関する。
【背景技術】
【０００２】
本出願人は、特許文献１において、本体ハウジングに、プレフィルタの外周に沿って配置される複数の塵落とし片をプレフィルタの軸方向に突設して、この塵落とし片によってプレフィルタを回転可能に把持する一方で、ダストハウジングの内面とプレフィルタの外面との間に、ダストハウジングを本体ハウジングから取り外すときの回転に伴って、プレフィルタを回転させる突起が設けられたクリーナを開示した。このクリーナによれば、ダストハウジングを本体ハウジングから取り外すために回転させると、複数の塵落とし片がプレフィルタの外周面を相対的に回転することになるため、塵落とし片がプレフィルタの外周面に捕捉された粉塵を払い落とすことができる。しかも、前記払い落とされた粉塵はダストハウジングに落下して貯留できるため、ダストハウジングを本体ハウジングから取り外してダストハウジング内の粉塵を廃棄できる。
【０００３】
ところが、特許文献１のクリーナでは、塵落とし片が粉塵をプレフィルタの外周面から完全に払い落とすことができない場合もあり、粉塵によってプレフィルタの目詰まりが生じないようにするためには、定期的にプレフィルタから粉塵を除去するメンテナンスをしなければならないという不都合があった。さらに、塵落とし片によってプレフィルタの外周面から払い落とされた粉塵が、クリーナのユーザに向けて舞い上がると、ユーザに不快感を与えるといった不都合があった。そこで本出願人は、特願２０１１−９５３０５において、フィルタのメンテナンスを容易にするために、本体ハウジングに対するダストハウジングの前方への取り外し動作に伴い、塵落とし部材がフィルタの内面に摺接することで前記内面に捕捉された粉塵を除去すること、ユーザに不快感を与えることを防止するために、塵落とし部材がフィルタ内で粉塵を除去することで、フィルタから除去した粉塵がユーザに向けて飛散することを抑制した発明を提供した。
【先行技術文献】
【特許文献】
【０００４】
【特許文献１】特開２００２−３０６３８４号公報
【発明の概要】
【発明が解決しようとする課題】
【０００５】
しかしながら、特願２０１１−９５３０５に記載のクリーナにおいては、特許文献１のクリーナと同様に粉塵をダストハウジングから廃棄した後にも、微量の粉塵がダストハウジング内に残っている場合がある。このため、微量の粉塵が残ったままのダストハウジングを本体ハウジングに取り付けた後に吸引風を発生させる電動送風機を駆動させると、当該粉塵がフィルタで捕捉できずに電動送風機側に導入されることが懸念されていた。
【０００６】
この発明は、このような状況に鑑み提案されたものであって、ダストハウジング内に残ったままの粉塵が電動送風機側に導入されることを防止できるクリーナを提供することを目的とする。
【課題を解決するための手段】
【０００７】
請求項１の発明に係るクリーナは、吸引風を発生させる電動送風機が収容された本体ハウジングの前方に、粉塵を含んだ前記吸引風の吸引口が形成されたダストハウジングを装着させて、前記本体ハウジングにおける前記電動送風機の上流側に前記粉塵を捕捉する筒状のフィルタを設け、前記粉塵を含んだ吸引風を前記フィルタの内側に導入して、前記粉塵を前記フィルタの内面に捕捉した後に前記吸引風を前記フィルタの外側へ流通させて前記電動送風機側に導入するクリーナであって、前記ダストハウジングを前記本体ハウジングに装着した装着状態において、前記ダストハウジングに、前記フィルタの内面に向けて突出しかつ外周面が前記内面に当接するリング状の塵落とし部材を設け、前記本体ハウジングに、前記装着状態で前記フィルタの外面を外側から空間をおいて覆うカバー部材を設けて、前記本体ハウジングに対する前記ダストハウジングの前方への取り外し動作に伴い、前記塵落とし部材が前記フィルタの内面に摺接することで前記捕捉された粉塵を前記内面から除去することを特徴とする。
【発明の効果】
【０００８】
請求項１の発明に係るクリーナによれば、本体ハウジングに設けたカバー部材によって、フィルタの外面を外側から非接触で覆うことができるため、仮にフィルタから除去した粉塵が内部に残ったままのダストハウジングを本体ハウジングに取り付けた場合でも、吸引風は、フィルタにより粉塵が捕捉されてからカバー部材内を流れて電動送風機に吸引されるので、ダストハウジング内に残ったままの粉塵が直接電動送風機に吸引されることを防止できる。
【図面の簡単な説明】
【０００９】
【図１】本発明の実施形態のクリーナの側断面図である。
【図２】同クリーナを構成する本体ハウジングと、第１枠部材と、カバー部材と、ダストハウジングとの分解斜視図である。
【図３】ダストハウジングを本体ハウジングから取り外す動作の説明図である。
【図４】同ダストハウジングの部分拡大断面図である。
【発明を実施するための形態】
【００１０】
本発明の実施形態を図１ないし図４を参照しつつ説明する。図１に示すようにクリーナ１は、本体ハウジング２とダストハウジング３とを備えている。
【００１１】
本体ハウジング２は、樹脂製で図２に示すように前端部（図２の右側）が筒状に形成されている。この前端部の内部は、図１に示すように仕切り板５によって、本体ハウジング２の前後方向（図１の左右方向）で隣接する電動送風機収容室６とファン収容室７とに区画されている。
【００１２】
電動送風機収容室６には、吸引風を発生させる電動送風機１０が収容されている。電動送風機１０の出力軸１１は、仕切り板５の開口部（図示せず。）を通じてファン収容室７に進入する。この仕切り板５には、後述する吸引風をファン収容室７から電動送風機収容室６へ通過させるために、複数の開口（図示せず。）が形成されている。図１ないし図３に示すように本体ハウジング２の側面には、本体ハウジング２の外部と電動送風機収容室６とを連通させる空気排気口１２が複数開設されている。ファン室７では、吸気ファンＦが出力軸１１に取り付けられている。さらにファン室７には、ファンカバー１３が吸気ファンＦを覆って位置決めされている。ファンカバー１３は、電動送風機収容室６側を開口させた筒状とされている。ファンカバー１３の前面には吸気開口部１４が複数設けられている。図１に示すように本体ハウジング２には、ファン収容室７とダストハウジング３の内部とを連通させる通気孔１５が開設されている。ファンカバー１３をファン収容室７に位置決めすると、吸気開口部１４は、通気孔１５を通じてダストハウジング３内に進入する。さらに図１及び図２に示すように、本体ハウジング２の前端面には、本体ハウジング２の前端部よりも小径で前記吸気開口部１４を外側から覆う筒状部１６がダストハウジング３側へ突設されている。当該筒状部１６の外周面には通気孔１７が複数形成されている。各通気孔１７は、吸引風を筒状部１６内を通過させて吸気開口部１４から電動送風機１０の吸気ファンＦへ導くために用いられる。加えて、本体ハウジング２の前端部には、本体ハウジング２の前端面と連続する円環状の切り欠き段部１８（図１ないし図３参照。）が形成されている。切り欠き段部１８には、後述するカバー部材２３の後端部が係合可能である。
【００１３】
図１ないし図３に示すように本体ハウジング２の後端部（図１ないし図３の左側）の外底面には、バッテリーパック１９が取り付けられている。このバッテリーパック１９は電動送風機１０を駆動するために用いられる。
【００１４】
またダストハウジング３は、樹脂製で図１に示すように本体ハウジング２の前方（図１の右側）に装着されるもので、ダストハウジング３の前後方向Ｘの前方側（図１の右側）に縮径部位８を有する筒状に形成されている。このダストハウジング３は、周知のバイヨネット結合により本体ハウジング２の前端縁に連結されている。図１及び図３に示すように、縮径部位８の基端部には段部９が設けられている。さらに縮径部位８の前面（図１の右側）中央部には、吸引風の吸込口２０が開設されている。
【００１５】
さらに図１に示すようにダストハウジング３の内部には、保持枠２１と、フィルタ２２と、カバー部材２３と、支持枠２４と、塵落とし部材２５とが収容されている。保持枠２１は、フィルタ２２を保持するもので複数の第１枠部材２７（図２及び図３参照。）で形成されている。複数の第１枠部材２７は、周方向に所定の間隔をおいて配置されてダストハウジング３の前後方向Ｘに延設されている。
【００１６】
図１及び図２に示すように、各第１枠部材２７における前後方向Ｘの前方端部（図１及び図２の右側）は第１の環状部材２８に結合されている。第１の環状部材２８の前面（図１及び図２の右側）には、リング状のフランジ部材３０が結合されている。一方各第１枠部材２７における前後方向Ｘの後方端部は円板状部材３１に結合されている。この円板状部材３１は、筒状部１６の前端部の内面に挿入固定される。これにより保持枠２１は、筒状部１６を介して本体ハウジング２に固定されてダストハウジング３内に突出する。
【００１７】
フィルタ２２は、矩形のメッシュ状で内面に粉塵を捕捉するものである。本実施形態では複数（４箇所）のフィルタ２２が、図２及び図３に示すように保持枠２１の周方向における各第１枠部材２７，２７間の空間に保持枠２１と一体で、また、各第１枠部材２７の内面と面一に設けられている。さらに複数の第１枠部材２７は、保持枠２１の周方向に所定間隔をおいて配置されているため、複数のフィルタ２２は筒状に保持されることになる。さらに図３に示すようにフィルタ２２は、ダストハウジング３内で電動送風機１０よりも吸引風の上流側に設けられている。
【００１８】
カバー部材２３は、樹脂製で図１ないし図３に示すようにフィルタ２２よりも大径の筒状体とされている。このため、図１及び図３に示すようにダストハウジング３を本体ハウジング２に連結した状態では、フィルタ２２の外面とカバー部材２３の内面との間に空間が設けられている。よってカバー部材２３は、フィルタ２２の外面を外側から非接触で覆うことができる。そして当該空間の寸法は、前記吸引風を円滑に通過させることができる値に設定されている。図２に示すようにカバー部材２３は、後端に当たる本体ハウジング２側を開口させて、ダストハウジング３側に当たる前端面に開口部３３を備えている。また図１及び図３に示すようにカバー部材２３の前端面裏側には、開口部３３を囲みカバー部材２３内に突出する環状のリブ３４が設けられている。このように構成されたカバー部材２３については、リブ３４内に保持枠２１のフランジ部材３０を装着すると共に、本体ハウジング２の切り欠き段部１８にカバー部材２３の後端部を係合させることで、本体ハウジング２に固定されてダストハウジング３内に突出する。そしてフランジ部材３０の前面とカバー部材２３の前端面裏側との間にはシール部材を介在させた。加えて図１に示すように、ダストハウジング３を本体ハウジング２に連結した状態では、ダストハウジング３の段部９が、カバー部材２３に当接して該カバー部材２３を本体ハウジング２側へ押圧することで、カバー部材２３の後端周縁部を、本体ハウジング２の前端面に突き当てることができる。これによりカバー部材２３は、前記段部９と本体ハウジング２の前端面とで両持ち支持できるため、カバー部材２３の振れを防止できる。したがって、フィルタ２２の外面とカバー部材２３の内面との間の空間寸法を一定に保つことができる。
【００１９】
また支持枠２４は、後述の塵落とし部材２５（図３及び図４参照。）を設けたもので複数の第２枠部材３７（図１及び図３参照。）で筒状に形成されている。複数の第２枠部材３７は、吸込口２０の周囲で周方向に所定の間隔をおいてダストハウジング３の縮径部位８の前端内面から前後方向Ｘで本体ハウジング２側へ向けて突設されている。図３に示すように各第２枠部材３７は、周方向で各第１枠部材２７と一致するように配置されている。
【００２０】
塵落とし部材２５は、図３及び図４に示すように各第２枠部材３７の後端部と一体にされたリング状とされて放射方向に突設されている。ここでは塵落とし部材２５及び各第２枠部材３７を樹脂によって成形した。図１に示すように、ダストハウジング３を本体ハウジング２に連結した状態では、支持枠２４を構成する第２枠部材３７は、保持枠２１内に進入して塵落とし部材２５をフィルタ２２の内面に向けて突出させる。このとき塵落とし部材２５の外周面は、フィルタ２２の下流端部（図１及び図３の左側）においてフィルタ２２の内面に当接する。
【００２１】
次にクリーナ１の動作を説明する。図１ないし図３に示すバッテリーパック１９によって電動送風機１０を駆動させて出力軸１１が回転すると、吸気ファンＦが回転して吸引風が発生する。図１に示すようにダストハウジング３を本体ハウジング２に連結した状態では、カバー部材２３の環状のリブ３４内に、保持枠２１のフランジ部材３０を装着し、かつカバー部材２３の後端周縁部が本体ハウジング２の前端面に突き当てられている。このため粉塵を含んだ吸引風は、リブ３４とフランジ部材３０との間や、カバー部材２３と本体ハウジング２の前端面との間からカバー部材２３内に入り込むことがない。このようなことから粉塵を含んだ吸引風は、図１中の実線で示すように吸込口２０から開口部３３を通じて保持枠２１の内側に吸い込まれ、各フィルタ２２の内面で粉塵が捕捉された後、粉塵が分離された吸引風は、図１中の実線で示すように各フィルタ２２の外側へ流れる。
【００２２】
各フィルタ２２を通過した吸引風は、図１に示すようにカバー部材２３の内周面とフィルタ２２の外面との間の空間、通気孔１７、筒状部１６内、吸気開口部１４、吸気ファンＦのブレード同士の間、ファン収容室７内、電動送風機収容室６内を順次通過して各空気排気口１２から排気される。
【００２３】
本実施形態では、以下に説明する動作によって塵落とし部材２５が各フィルタ２２の内面に捕捉された粉塵を除去できる。図３に示すようにダストハウジング３を本体ハウジング２からダストハウジング３の前方へ取り外すと、塵落とし部材２５が各フィルタ２２の内面に沿ってフィルタ２２の下流側から上流側へ順次摺接する。これに伴って塵落とし部材２５は前記内面に捕捉された粉塵を順次掻き取る。掻き取られた粉塵は、開口部３３を通じて各フィルタ２２から押し出されてダストハウジング３内に排出される。このため、掻き取られた粉塵がクリーナ１のユーザに向けて飛散することが抑制される。ダストハウジング３内から粉塵を廃棄することで、各フィルタ２２から粉塵を除去するメンテナンスが完了する。
【００２４】
ところでダストハウジング３内から粉塵を廃棄した後にも、微量の粉塵がダストハウジング３内に残っている場合がある。本実施形態では図１に示すように、カバー部材２３によってフィルタ２２の外面を外側から非接触で覆い、カバー部材２３の前端面裏側に設けたリブ３４内に、フランジ部材３０を装着し、カバー部材２３の後端部を切り欠き段部１８に係合させたので、各フィルタ２２を通過した吸引風は、カバー部材２３の内周面とフィルタ２２の外面との間の空間を通過して電動送風機１０の吸気ファンＦに導かれるため、仮に粉塵が内部に残ったままのダストハウジング３を本体ハウジング２に連結した場合でも、吸引風によって、ダストハウジング３内に残ったままの粉塵が、フィルタ２２を介さずに直接吸気ファンＦへ導かれるのを防止できる。よって、粉塵が各空気排気口１２から排出されることもない。
【００２５】
＜本実施形態の効果＞
本実施形態のクリーナ１では、本体ハウジング２に固定されたカバー部材２３によってフィルタ２２の外面を外側から非接触で覆うことができる。このため、仮に各フィルタ２２から除去した粉塵が内部に残ったままのダストハウジング３を本体ハウジング２に連結した場合でも、吸引風はフィルタ２２を通過して流れることになり、ダストハウジング３内に残ったままの粉塵が直接吸気ファンＦに導かれるのを防止できる。
【００２６】
本発明は、上述した実施形態に限定されるものではなく、発明の趣旨を逸脱しない範囲内において構成の一部を適宜変更して実施できる。例えば上述した実施形態とは異なり、塵落とし部材として毛ブラシを用い、ダストハウジング３を本体ハウジング２から取り外す動作に伴って、毛ブラシがフィルタ２２の内面に摺接して該内面に捕捉された粉塵を掻き取るようにしてもよい。また上述した実施形態とは異なりカバー部材２３の後端周縁部を、シール部材を介在させて本体ハウジング２の前端面に突き当ててもよい。さらに上述した実施形態とは異なり、例えばカバー部材２３は、該カバー部材２３の後端を本体ハウジング２の前端面に係止させることで、本体ハウジング２から前方へ張り出すように片持ち支持したものであってもよい。加えてカバー部材２３は、樹脂に限らず金属で形成してもよい。
【符号の説明】
【００２７】
１・・クリーナ、２・・本体ハウジング、３・・ダストハウジング、１０・・電動送風機、２０・・吸込口、２２・・フィルタ、２３・・カバー部材、２５・・塵落とし部材。
【図１】
2014018423.tif 000003
【図２】
2014018423.tif 000004
【図３】
2014018423.tif 000005
【図４】
2014018423.tif 000006